(57)【要約】【課題】雄実部への釘打ちもれを防止し得る床材を提供する。【解決手段】床材１は、雄実部１０と雌実部２０とを有し、該雄実部１０の上面１０ａ側から釘３を打ち込んで床下地に固定される構成とされ、雄実部１０の上面１０ａは略平坦とされ、該上面１０ａには雌実部２０を嵌合させる際に嵌合を阻害する突出部１１Ａが形成されており、その突出部１１Ａは、その上部に上方から釘３を打ち込んだ際に、釘３の頭部３ａによって押圧されて嵌合を阻害しないように変化する。【選択図】図１
2014074312.tif 000002
【特許請求の範囲】
【請求項１】
雄実部と雌実部とを有し、該雄実部の上面側から釘を打ち込んで床下地に固定される構成とした床材において、
前記雄実部の上面は略平坦とされ、該上面には前記雌実部を嵌合させる際に嵌合を阻害する突出部が形成されており、
前記突出部は、その上部に上方から前記釘を打ち込んだ際に、前記釘の頭部によって押圧されて前記嵌合を阻害しないように変化することを特徴とする床材。
【請求項２】
請求項１において、
前記突出部は、前記釘の打ち込みをガイドするガイド部を有している床材。
【請求項３】
請求項１または２において、
前記雄実部は、前記釘の頭部によって押圧された前記突出部を収容する凹部を備えている床材。
【発明の詳細な説明】
【技術分野】
【０００１】
本発明は、雄実部の上面側から釘を打ち込んで床下地に固定される構成とした床材に関する。
【背景技術】
【０００２】
床材の施工において床下地上に床材を並設する方法として、床材を床下地に接着したうえで、その床材の雄実部に釘を打ち込んで固定してから、その雄実部に対し、隣設させる床材の雌実部を嵌合する方法が知られている（たとえば、特許文献１参照）。
【先行技術文献】
【特許文献】
【０００３】
【特許文献１】特開２００６−９３７２号公報
【発明の概要】
【発明が解決しようとする課題】
【０００４】
ところが、床材の施工においては多数の床材の配設を連続して実施するため、一部の床材について釘打ち作業が省かれてしまうことがある。釘打ちもれがあった場合、温度や湿度の変化により、床材に反りが発生したり、床材間に隙間（目隙）が生じたりするなどの不具合が起こり得る。
【０００５】
本発明は、このような事情を考慮して提案されたもので、その目的は、雄実部への釘打ちもれを防止し得る床材を提供することにある。
【課題を解決するための手段】
【０００６】
上記目的を達成するために、本発明の床材は、雄実部と雌実部とを有し、該雄実部の上面側から釘を打ち込んで床下地に固定される構成とした床材において、雄実部の上面は略平坦とされ、該上面には雌実部を嵌合させる際に嵌合を阻害する突出部が形成されており、突出部は、その上部に上方から釘を打ち込んだ際に、釘の頭部によって押圧されて嵌合を阻害しないように変化することを特徴とする。
【０００７】
また本発明においては、突出部が釘の打ち込みをガイドするガイド部を有した構成としてもよい。
【０００８】
さらに本発明においては、雄実部が、釘の頭部によって押圧された突出部を収容する凹部を備えた構成としてもよい。
【発明の効果】
【０００９】
本発明に係る床材によれば、上述の構成としたことにより、床材の施工において雄実部への釘打ちもれを防止できる。
【図面の簡単な説明】
【００１０】
【図１】（ａ）は本発明の一実施形態に係る床材の一部を省略した斜視図、（ｂ）は（ａ）におけるＡ部の拡大平面図、（ｃ）は（ｂ）におけるＢ−Ｂ線断面図である。
【図２】（ａ）、（ｂ）は同床材の設置手順を示す部分縦断面図であり、（ｃ）は（ｂ）の１点鎖線で囲まれた部位の部分拡大縦断面図である。
【図３】（ａ）、（ｂ）は同床材の設置手順を示す部分縦断面図である。
【図４】（ａ）は本発明の他の実施形態に係る床材の一部を省略した斜視図、（ｂ）は（ａ）におけるＣ−Ｃ線拡大断面図、（ｃ）は（ａ）におけるＤ−Ｄ線拡大断面図である。
【図５】（ａ）〜（ｄ）は同床材の設置手順を示す部分縦断面図であり、（ｂ）、（ｃ）は図４（ａ）のＣ−Ｃ線に対応した拡大断面図である。
【発明を実施するための形態】
【００１１】
以下に、本発明の実施の形態について、添付図面にもとづいて説明する。
【００１２】
図１〜図３は、本発明の一実施形態に係る床材の説明図である。図１（ａ）は同床材の一部を省略した斜視図、図１（ｂ）は図１（ａ）におけるＡ部の拡大平面図、図１（ｃ）は図１（ｂ）におけるＢ−Ｂ線断面図である。図２（ａ）、（ｂ）は同床材の設置手順を示す部分縦断面図であり、図２（ｃ）は図２（ｂ）の１点鎖線で囲まれた部位の部分拡大縦断面図である。図３（ａ）、（ｂ）は同床材の設置手順を示す部分縦断面図である。
【００１３】
本実施形態で用いられる床材１は、たとえば木質基材の表面に化粧シートを積層した矩形状の基板よりなる。なお、木質基材としては、合板、繊維板等、種々の木質材料が用いられる。
【００１４】
床材１は、その幅方向の一方の側端に凸条状の雄実部１０を有し、他方の側端に凹溝状の雌実部２０を有している（図１（ａ）参照）。これら両実部１０、２０は、図３（ｂ）に示すように、隣接する床材１、２同士において相互に嵌合して結合し得る形状となっている。
【００１５】
雄実部１０は床材１の高さ（厚さ）方向の略中央より外方に突出している。床材１は雄実部１０の根元の上側に張り出し部１５を備えている。図２（ａ）に示すように、張り出し部１５の張り出し長さは雄実部１０よりも十分に短く、その先端木口面１５ａは、雄実部１０の下側の木口面１ｂよりもやや内方側に位置している。また、張り出し部１５の下面は先端木口面１５ａの下端より雄実部１０の根元に向けて下り勾配となっている。
【００１６】
雄実部１０の根元において、雄実部１０と張り出し部１５との間に溝が形成されている。この溝は、床材１の雄実部１０に釘打ちする際に釘３の貫通圧により変形した、釘３の軸部３ｂの周囲の木質材料を逃がすための肉逃がし凹溝１６を構成する。また、この肉逃がし凹溝１６には、連結される両床材１、１を接合するための接着剤２の剰余分を収容するようにもなっている（図３（ｂ）参照）。
【００１７】
図２（ａ）に示すように、雄実部１０の木口面１０ｂ、張り出し部１５の先端木口面１５ａおよび雄実部１０の下側の木口面１ｂはいずれも、床材１の底面に対し垂直な面となっている。また、床材１の長手方向に沿った各角部１ａ、１ａ、・・・は面取り加工が施されている。床材１の上面側に表われる角部１ａ、１ａ、・・・は、隣り合う床材１、１同士の連結によって表面に表われる意匠溝を構成する。
【００１８】
なお、床材１の両側端の形状は、床材１、１の表裏面において隙間が形成されないように雌雄嵌合でき、かつ雄実部１０の上面１０ａに釘打ちできるような形状であればよく、本実施形態で示したものには限られず、種々の形状を採用できる。
【００１９】
雄実部１０の上面１０ａは、図１（ａ）等に示すように略平坦とされるが、その突出方向の略中央位置には、釘打ち位置を示す小溝１２が長手方向に沿って形成されている。その小溝１２の長手方向の適所には、小溝１２の上に重なるように突出部１１Ａが形成されている（図１（ａ）〜（ｃ）参照）。この突出部１１Ａは、たとえば接着剤で雄実部１０の上面１０ａに貼り付けるようにして設ければよい。
【００２０】
この突出部１１Ａは、床材１を床下地５に対し釘３で固定する際の釘打ち部として構成されている。また、突出部１１Ａは床材１、１同士の雌雄嵌合の際に嵌合を阻害する邪魔部材とされる（図２（ａ）参照）。つまり、この突出部１１Ａは、釘打ちすることなく雄実部１０に対し、隣設させる床材１の雌実部２０を嵌合しようとした場合に、雌実部２０の上側突出部２１の下端角部２１ａが突出部１１に衝突し、嵌合を阻害するように邪魔部材として作用する。そのため、床材１の施工に際して、釘打ちのし忘れを防止できる。
【００２１】
突出部１１Ａの形状は平面視Ｕ字状（環状体を半分にした形状）とされ、Ｕ字における開口１１Ａｂは雄実部１０の先端側に向いている。この凹部は、釘打ちに際して釘３の先端をガイドするガイド部１１Ａａとして構成され、この凹部を通じて下方の小溝１２を見通せるような位置に配置されている。なお、ガイド部１１Ａａは上下方向に連通した孔でなくてもよく、釘３の先端を載せ置いた際にその先端がずれ動かない程度にガイドできる凹みであってもよい。
【００２２】
また、突出部１１Ａの平面視寸法は釘３の頭部３ａの直径程度であればよく、たとえば湾曲部１１Ａｃの直径が４ｍｍ程度のものであればよい。突出部１１Ａの高さ寸法は、雄実部１０と雌実部２０との嵌合を阻害する程度の大きさであればよい。
【００２３】
この突出部１１Ａに対する釘打ちは、床材１を床下地５に載置接着した後に、突出部１１Ａの上方からなされる（図２（ａ）、（ｂ）参照）。床材１の床下地５への固着強度を高めるために、図例のように、小溝１２の傾斜面に沿って斜め打ちすることが望ましい。
【００２４】
図２（ｂ）に示すように、釘３の軸部３ｂは、突出部１１Ａのガイド部１１Ａａと、小溝１２とを通って床材１を貫通し、床下地５に打ち込まれる。そして、図３（ａ）に示すように、釘３の頭部３ａの押圧により突出部１１は押しつぶされる。
【００２５】
このように押しつぶされた突出部１１は、たとえば図３（ａ）のように、釘３の軸部３ｂの貫通圧により変形した貫通箇所の周辺の木質材料といっしょになって上方に盛り上がって肉盛り部１３に変形し、肉逃がし凹溝１６内の空間へと押しやられる。また、突出部１１Ａの一部は、釘３の頭部３ａの押圧によって扁平状態に変形したり、小溝１２に収容されたりもする。
【００２６】
このように、突出部１１Ａは釘打ちによって元の形状を維持せず、床材１、１同士の雌雄嵌合に邪魔にならない形状に変化する。そのように突出部１１Ａが形状変化するため、雄実部１０と雌実部２０とは突出部１１Ａに邪魔されることなくきっちりと隙間なく嵌合する。
【００２７】
なお、床材１、１間の連結強度を高くするために、雄実部１０と雌実部２０との嵌合に際して、木口面などに接着剤を付けておくことが望ましい。この接着剤の剰余分は、図３（ｂ）に示すように、肉逃がし凹溝１６に溜まる。
【００２８】
以上に説明した床材１によれば、上述したように、釘打ち前においては突出部１１Ａが雌雄嵌合を阻害する邪魔部材として作用するから、釘打ちのし忘れを防止できる。また、雌雄嵌合を阻害するために設けた突出部１１Ａは釘打ちによって邪魔にならないように変形するので、釘打ち後の雌雄嵌合はスムーズになされる。
【００２９】
もちろん、突出部１１Ａは釘打ちの際の目印にもなる。また、突出部１１Ａにはガイド部１１Ａａが形成されているので釘打ちを手際よく行える。なお、床材１は釘打ち位置を指し示す突出部１１Ａを有しているので、小溝１２を有さない構成としてもよい。
【００３０】
また上記の実施形態として突出部１１Ａを平面視Ｕ字状としたものを示したが、他の種々の形状の突出部１１Ａを採用できる。たとえば、環状体、上面に凹みを有した円盤（円柱）体などでもよい。
【００３１】
ついで、本発明の他の実施形態に係る床材について、図４および図５にもとづいて説明する。
【００３２】
図４（ａ）は同床材の一部を省略した斜視図、図４（ｂ）は図４（ａ）におけるＣ−Ｃ線拡大断面図、図４（ｃ）は図４（ｂ）におけるＤ−Ｄ線断面図である。図５（ａ）〜（ｄ）は同床材の設置手順を示す部分縦断面図であり、図５（ｂ）、（ｃ）は図４（ａ）のＣ−Ｃ線に対応した拡大断面図である。
【００３３】
本実施形態で用いられる床材１の幅方向の側端の雄実部１０、雌実部２０およびそれらの上下の概略形状は、図４（ａ）に示すように図１のものと略同形状であるため、同一符号を付して、その説明を省略する。
【００３４】
本実施形態の床材１は、雄実部１０の上面１０ａに、図１に示した突出部１１Ａとは形状の異なる突出部１１Ｂを備えている。この突出部１１Ｂは、一対の三角柱状の小片１１Ｂｂ、１１Ｂｂが、小溝１２の雄実部１０の先端側に、小溝１２に沿うように山型状に並設されてなる。一対の小片１１Ｂｂ、１１Ｂｂは、図４（ｂ）に示すように、三角形の短辺を隣接させ、三角形の下側の角部同士が固着されて上方をＶ字状に開いた状態で保持されている。そのＶ字状の開口が釘打ち用のガイド部１１Ｂａを構成する。なお、突出部１１Ｂを安定して保持するために、小片１１Ｂｂ、１１Ｂｂの各下縁が雄実部１０の上面１０ａに固着されることで形状が保持されている。
【００３５】
また、雄実部１０は突出部１１Ｂの下方に凹部１４を有している。この凹部１４は、突出部１１Ｂを形状を変えることなく収容できるような形状、寸法の空間とすることが望ましい。
【００３６】
この突出部１１Ｂへの釘打ちは、図４（ｃ）に示すように、突出部１１Ｂの上方から、釘３の先端をＶ字のガイド部１１Ｂａに挿入するようにしてなされる。また、床材１の床下地５への固着強度を高めるために、たとえば図４（ｃ）のＸ方向、Ｙ方向のように斜め打ちすることが望ましい。
【００３７】
この突出部１１Ｂは、図５（ａ）に示すように、釘打ちする前においては、雌雄嵌合を阻害する邪魔部材として作用する。
【００３８】
釘打ちの際には、図５（ｂ）、（ｃ）の拡大図および図５（ｄ）に示すように、釘３の軸部３ｂは、図５（ｂ）の白抜き矢印（大）の方向に、突出部１１Ｂのガイド部１１Ｂａと、小溝１２とを通って床材１を貫通し、床下地５に打ち込まれる。そして、釘３の頭部３ａが図５（ｂ）の白抜き矢印（大）の方向に移動することにより、突出部１１Ｂは凹部１４へ（図５（ｂ）の白抜き矢印（小）方向へ）と押しやられ、概ね形状を保ったまま凹部１４へ収容される。
【００３９】
図４（ｃ）に示すように、釘３がＸ方向に打ち込まれた場合には、突出部１１ｂは凹部１４に収容されるが、本実施形態では凹部１４と小溝１２とが連通状態にあるので、釘３の押圧により突出部１１Ｂが押しつぶされ変形した場合でも、変形した突出部１１Ｂは凹部１４と小溝１２に跨るように収容される。また、釘３を垂直方向により近いＹ方向に打ち込んで、突出部１１Ｂを凹部１４内に収容させるようにしてもよい。
【００４０】
このように、突出部１１Ｂは釘打ちによって突出した状態ではなくなり、床材１、１同士の雌雄嵌合を阻害しないように変化する。そのような突出部１１Ｂの状態変化によって、雄実部１０と雌実部２０とは突出部１１Ｂに邪魔されることなくきっちりと隙間なく嵌合する。
【００４１】
以上に説明した床材１によれば、上述したように、釘打ち前においては突出部１１Ｂが嵌合を阻害する部位として作用するから、釘打ちのし忘れを防止できる。また、雌雄嵌合を阻害するために設けた突出部１１Ｂは釘打ちによって邪魔にならないように状態変化（移動）するので、釘打ち後の雌雄嵌合はスムーズになされる。
【００４２】
本実施形態の床材１についても突出部１１Ｂは釘打ちの目印にもなる。また、突出部１１Ｂにはガイド部１１Ｂａが形成されているので釘打ちを手際よく行える。なお、床材１は釘打ち位置を指し示す突出部１１Ｂを有しているので、小溝１２を設けない構成としてもよい。また、本実施形態の床材１は突出部１１Ｂを釘打ちで凹部１４に収容させる構成であるため、突出部１１Ｂを釘３の頭部３ａで押しつぶさなくてもよく、釘打ちをさらにスムーズに行える。
【００４３】
また、本実施形態の床材においても、釘打ち後には肉逃がし凹溝１６内に肉盛り部１３が形成されるが、突出部１１Ｂは凹部１４に収容される構成であるため、その肉盛り量は少ない。すなわち、このように突出部１１Ｂを収容させる凹部１４を有したものでは、肉逃がし凹溝１６の空間を小さく構成することができるので、張り出し部１５の強度を高めることができる。
【００４４】
なお、本実施形態の床材１、１同士の嵌合を示す図については、雌雄嵌合の構造が図３（ｂ）のものと同様であるため、図示を省略した。
【００４５】
上記２実施形態では床材の幅方向の側端に雄実部１０、雌実部２０を有した例を示したが、長手方向の側端に雄実部、雌実部を有した床材にも上記突出部１１Ａ、１１Ｂの構成を適用することができる。
【符号の説明】
【００４６】
１        床材
３        釘
３ａ      頭部
５        床下地
１０      雄実部
１０ａ    上面
１１Ａ    突出部
１１Ａａ  ガイド部
１１Ｂ    突出部
１１Ｂａ  ガイド部
１２      小溝
１３      肉盛り部
１４      凹部
１５      張り出し部
１６      肉逃がし凹溝
２０      雌実部
２１      上側突出部
２１ａ    下端角部
【図１】
2014074312.tif 000003
【図２】
2014074312.tif 000004
【図３】
2014074312.tif 000005
【図４】
2014074312.tif 000006
【図５】
2014074312.tif 000007